(57)【要約】      （修正有）【課題】会議や打ち合わせ等に出席しバラの資料の配布を受けても、その時点ではファイルに綴じる事は出来ないので、一旦ファイルに挟み持ち帰りをしてから整理をし綴じていた。しかし、持ち運びや一時保管をしてる時点で飛散したり脱落したりしていた現状がある。【解決手段】書類包みカバーシート及び書類ファイル仕切りシート１は、定型書類用紙の約２倍の大きさにファイル綴じされた書類の厚み分を加味した大きさであて、一端又は他端にファイル綴じ具の綴じひも及び綴じひも通し穴に応じた数を有した書類包みカバーシート及び書類ファイル仕切りシート１を提供する。【選択図】図１
2011148244.tif 000002
【特許請求の範囲】
【請求項１】
定型書類用紙の約２倍の大きさに、ファイル綴じされた書類の厚み分を加味した大
きさのシートであって、一端又は他端にファイル綴じ具6の綴じひも13及び綴じ
ひも通し穴12に応じた数を有し、前記綴じひも13に差込み係り止め出来る構造を
した切欠き部を設けた書類包みカバーシート及び書類ファイル仕切りシート。
【請求項２】
前記の切欠き部はＬ字型又は、凹字型の請求項１記載の書類包みカバーシート及び書類ファイル仕切りシート
【請求項３】
前記書類の厚み部分になるように折り曲げ部分を作る為に、前記シートの中央部に折り曲げ線２を入れた請求項１又は請求項２記載の書類包みカバーシート及び書類ファイル仕切りシート。
【発明の詳細な説明】
【技術分野】
【０００１】
本発明のこれらのシートは綴じてあるファイルの状態で綴じ具を外さずに脱着可能とし、綴じてあるファイルの間に簡易に挟んだ書類及び、ファイルに綴じていないバラ資料の脱落防止及び仕切り・見出しに使用した技術分野である。
【背景技術】
【０００２】
現状においては、書類をファイルに綴じた後で追加で綴じる場合、綴じ具を外さ
ずに書類等を綴じる事が出来る技術は公開されている。
【先行技術文献】
【特許文献】
【０００３】
【特許文献１】特開2007-76338
【特許文献２】実開平5-56400
【発明の概要】
【発明が解決しようとする課題】
【０００４】
特許文献1及び特許文献2では、綴じ具を外さずに後からでも書類の脱着を可能
としているが、たとえば会議や打ち合わせ等に出席しバラの資料の配布を受けて
も、その時点ではファイルに綴じる事は出来ないので、一旦ファイルに挟み持ち
帰りをしてから整理をし綴じていた。しかし、持ち運びをしてる時点で脱落したり
一時保管をしてる時点で飛散しバラけたりしていた現状がある。上記の技術はこれ
については解決していない。
【課題を解決するための手段】
【０００５】
本発明である書類包みカバーシート及び書類ファイル仕切りシートは、定型書類用
紙の約２倍の大きさに、ファイル綴じされた書類の厚み分を加味した大きさのシー
トであって、一端又は他端にファイル綴じ具の綴じひも及び綴じひも通し穴に応じ
た数を有し、前記綴じひもに差込み係り止めできる構造をした切欠き部を設けた書
類包みカバーシート及び書類ファイル仕切りシートを提供する事により解決した。
【発明の効果】
【０００６】
本発明である書類包みカバーシート及び書類ファイル仕切りシートは、書類がファイルに綴じ具にて綴じた後からでも、綴じ具を外す事なく任意の位置に差込みした後スライドさす事で容易に取付ける事ができ、会議等で渡されたバラの書類を一旦包みカバーする事で、バラの書類の飛散や脱落を防止できた。
【０００７】
また、本発明である書類包みカバーシート及び書類ファイル仕切りシートを二つ折りする事で書類ファイルの仕切りや見出しとしても利用でき、後からでも任意の枚数だけ任意の位置に自由に取付ける事が簡単に出来るようになった。
【０００８】
ファイル厚み程度の折り曲げ部分を折り曲げてバラの資料や書類を包みカバーし、折り曲げで出来たファイル厚み程度の部分に背表紙と同じ名称を書く事により背表紙と同じ役目を果たすことが出来る。
【０００９】
ファイル本体を本棚等に収納する場合、背表紙を手前にして本棚等に収納するが、収納する際に表表紙及び裏表紙の端部が引っ掛かり収納しにくかった。
本発明をファイルに取り付け本棚等に収納する場合、ファイル本体を背表紙から差し込む事によって端部の引っ掛かりが解消でき差込みやすくなった。また、ファイル本体を背表紙から差し込み収納する事で背表紙の名称が確認できなくても本発明の折り曲げ部分に背表紙と同じ名称を明記することで、背表紙と同じ役目を果たすことが出来る。
【００１０】
本発明は構造が単純なので加工コストがかからず、簡単に脱着可能な為必要に応じて使用したり又、取り外して別のファイルに使用できる事で非常に経済的である。
【図面の簡単な説明】
【００１１】
【図１】本発明を開いた状態の平面図
【図２】本発明をファイルに取付ける時の差込む様子の図
【図３】本発明をファイルに取付ける時のスライドして係り止めしている様子の図
【図４】本発明を取り付けして書類ファイルを包みカバーとしている時の図
【図５】本発明を取り付けして背表紙と同じ名称を書き加えた時の図
【図６】本発明を取り付けして二つ折にし、仕切り・見出しとして利用している時の図
【図７】ファイルに綴じてある書類と綴じ具及び綴ひも・綴じひも通し穴の部材の説明図
【発明を実施するための形態】
【００１２】
ここでは一般的に多く使用されているＡ4版のフラットファイルに装着する場合
の実施例を説明する。
【００１３】
本発明は定型書類の約２倍の大きさを有し、図１の長辺の概ね中心部分にファイル
厚み程度の折り曲げ部分を作るために折り曲げ折り目線２を設け、図1のＬ字型開
口３を綴じ具6の綴じひも13及び綴じひも通し穴12に応じた数を設けた。
このＬ字型開口部３は綴じ具に係り止めする際に最も適した形状であるが凹字型の様な一挙動で差し込み型でもかまわない。これを図２の10の様にフラットファイル４の綴じ具６を外さずに任意の位置に差し込みし、図３の１１の様に差込みしたままスライドさす事で係り止めができ、簡単に脱着可能とした。そして本発明１を図２・図３のような手順で取付け後、図４の折り曲げ折り目線２を折り曲げし、一時的に挟んだ書類５を包みカバーする事ができる様にした。この時に折り曲げた事で生じる部分9に背表紙と同じ名称を書き加える事で、図５の様にフラットファイル４の背表紙１４の名称が確認できなくても同じ役目を果たすことが出来る。また、図６の様に本発明を二つ折りにして任意の枚数だけ任意の位置に取付ける事で仕切り及び、見出し等に活用出来るようにした技術である。
【符号の説明】
【００１４】
１  本発明の書類包みカバーシート及び書類ファイル仕切りシート
２  折り曲げ折り目線
３  Ｌ字型開口部
４  市販品のフラットファイル
５  一時的に挟んだ書類及び、綴じてない書類（バラ資料）
６  綴じ具
７  綴じてある書類
８  仕切り見出しにした状態
９  各名称書きエリア
10  差込方法
11  スライド方法
12  綴じひもの通し穴
13  綴じひも
14  背表紙部分
【図１】
2011148244.tif 000003
【図２】
2011148244.tif 000004
【図３】
2011148244.tif 000005
【図４】
2011148244.tif 000006
【図５】
2011148244.tif 000007
【図６】
2011148244.tif 000008
【図７】
2011148244.tif 000009